(57)【特許請求の範囲】
【請求項１】
建築物の基礎際に基礎内側面に密着するよう設置され、基礎際を防蟻する防蟻体であって、
基礎際の地盤上に敷くためのシート部と、
基礎際に基礎内側面に密着するように設置される防蟻部と、
上記防蟻部から離れた位置に設けられ、上記シート部を地盤上に密着させるための錘部とを備え、
上記防蟻部は、上記シート部の一辺に沿って形成されるとともに、上記基礎際及び上記基礎内側面に密着可能な程度に変形可能な素材で構成された防蟻性能をもつ袋部と、当該袋部の内部に充填され、当該袋部が上記基礎際及び上記基礎内側面に密着可能な程度に変形可能となるような流動性をもつ充填材とを有し、
上記錘部は、変形可能な素材で構成された袋部と、当該袋部の内部に充填され、当該袋部が変形可能となるような流動性をもつ充填材とを有することを特徴とする防蟻体。
【請求項２】
上記錘部の袋部は防蟻性能をもつことを特徴とする請求項１記載の防蟻体。
【請求項３】
上記錘部の袋部は、基礎際及び基礎内側面に密着可能な程度に変形可能な素材で構成されており、
上記錘部の充填材は、上記錘部の袋部が基礎際及び基礎内側面に密着可能な程度に変形可能となるような流動性をもつことを特徴とする請求項２記載の防蟻体。
【請求項４】
上記防蟻部の袋部は、一方向に延びる形状であることを特徴とする請求項１乃至３のいずれかに記載の防蟻体。
【請求項５】
上記防蟻部の袋部に防蟻剤を含浸させたことを特徴とする請求項１乃至４のいずれかに記載の防蟻体。
【請求項６】
上記防蟻部の充填材が多数の粒子であることを特徴とする請求項１乃至５のいずれかに記載の防蟻体。
【請求項７】
請求項１乃至６のいずれかに記載の防蟻体を用いて建築物の床下部分を防蟻する床下防蟻方法であって、
当該建築物の基礎際に、上記防蟻体のシート部を敷き、かつ上記防蟻部を当該建築物の基礎内側面と接するように設置することを特徴とする床下防蟻方法。
【発明の詳細な説明】
【０００１】
【発明の属する技術分野】
本発明は、建築物の床下部分を防蟻するための防蟻体およびその防蟻体を用いた床下防蟻方法に関するものである。
【０００２】
【従来の技術】
従来、建築物の基礎で囲まれた部分の内側に該当する床下部分を防蟻する方法としては、床下部分の基礎近傍部分の一定領域に防蟻剤等の薬品を散布する方法が採用されている。しかし、この場合、床下部分に散布された防蟻剤が、地中に浸透し、土壌を汚染するなどの自然環境面の点から問題となっていた。したがって、現在では、まず合成樹脂を用いた防蟻シートを、シート端部が基礎内側面に接する状態で床下部分に敷設し、その後、基礎の内側面とシートが接する部分についてテープで全面的に固定することにより、基礎際から基礎内側面を経て建築物へ白蟻が這い上がることを防止する方法が多く採用されている。
【０００３】
【発明が解決しようとする課題】
しかしながら、上記のような方法を採用すると、建築物へ白蟻が這い上がることを防止するためには、基礎の内側面とシートが接する部分をテープで全面的に固定する必要があり、施工の際、テープが確実な位置で固定されるように神経を使いながら施工する必要がある等、大変な労力と手間が必要となり、より施工効率の良い方法が提供される必要性が高まってきた。さらに、長年の使用により、テープの固定力が弱まってテープの剥離が生じ、防蟻効果が低下するおそれも想定されるため、より長期間安定して防蟻効果が得られる方法についても必要性が高まっていた。
【０００４】
したがって、本発明は、より施工効率がよく、かつ長期間安定して防蟻効果が得られる床下防蟻方法及びそれに用いる防蟻体を提供するものである。
【０００５】
【課題を解決するための手段】
本発明は、建築物の基礎際に基礎内側面に密着するよう設置され、基礎際を防蟻する防蟻体であって、基礎際の地盤上に敷くためのシート部と、基礎際に基礎内側面に密着するように設置される防蟻部と、防蟻部から離れた位置に設けられ、シート部を地盤上に密着させるための錘部とを備え、防蟻部は、シート部の一辺に沿って形成されるとともに、基礎際及び基礎内側面に密着可能な程度に変形可能な素材で構成された防蟻性能をもつ袋部と、当該袋部の内部に充填され、当該袋部が基礎際及び基礎内側面に密着可能な程度に変形可能となるような流動性をもつ充填材とを有し、錘部は、変形可能な素材で構成された袋部と、当該袋部の内部に充填され、当該袋部が変形可能となるような流動性をもつ充填材とを有するものである。
【０００６】
上記の防蟻体を用いて建築物の床下部分を防蟻する床下防蟻方法としては、請求項７に記載したとおり、当該建築物の基礎際に、防蟻体のシート部を敷き、かつ防蟻部を当該建築物の基礎内側面と接するように設置する床下防蟻方法を採用することが可能である。
【０００７】
このような方法を採用すると、基礎際に基礎内側面と防蟻部の袋部とが接するよう防蟻体を設置するのみで、上記防蟻部の袋部は上記基礎内側面に密着するため、その密着部分より上部に白蟻が這い上がることを防止するように施工することが出来る。したがって、施工の際に、基礎の内側面とシートが接する部分をテープで全面的に固定するといった必要がなく、また、施工の際、テープが確実な位置で固定されるように神経を使いながら施工するといった必要もない。従って、大幅な労力と手間を低減することができる。
【０００８】
さらに、防蟻部の袋部の中に充填材が充填されていることから、施工後においては、防蟻部自体の重みによって、防蟻部の設置位置が容易にずれることを防止でき、長期間にわたる使用においても、防蟻部が基礎内側面に密着することができる。よって、非常に効率良く施工を行いつつ、長期間安定した防蟻効果を得ることが可能となる。
【０００９】
なお、基礎内側面と防蟻部とをテープで固定することにより、さらに上記防蟻部の設置位置が容易にずれることを防止することができる。ただし、この場合においても、従来のように基礎の内側面とシートが接する部分についてテープで全面的に固定する必要はなく、局所的に固定すればよいため、従来より作業性の向上を図ることが可能である。
【００１０】
また、基礎際の地盤上に敷くためのシート部を備えているとともに、このシート部の一辺に沿って防蟻部の袋部が形成され、この防蟻部から離れた位置にシート部を地盤上に密着させるための錘部が形成されているので、基礎際だけでなく、基礎近傍の床下部分までも防蟻することができ、より高い防蟻効果を得ることが可能となる。
【００１１】
また、請求項２に記載のように錘部の袋部は防蟻性能をもっていてもよい。
【００１２】
本発明でいう「防蟻性能」には、その部材に白蟻を寄せ付けない性能のほか、その部材自体が白蟻に食い破られないという性能も含まれる。例えば、請求項５に記載のように、上記防蟻部の袋部に防蟻剤を含浸させるようにするほか、袋部を構成する素材自体を白蟻に食い破られないものとすることも含まれる。
【００１３】
また、請求項３に記載のように錘部の袋部が基礎際及び基礎内側面に密着可能な程度に変形可能な素材で構成されており、錘部の充填材は上記錘部の袋部が基礎際及び基礎内側面に密着可能な程度に変形可能となるような流動性をもつ構成とすれば、この錘部も基礎際及び基礎内側面に密着可能となるため、当該建築物の基礎際にこの防蟻体を設置するとき、錘部を基礎際に設置することも可能となる。すなわち、複数の袋部がそれぞれ錘部としての役目を兼ねることになり、設置方向を考慮する必要がなく、より施工効率を向上させることが出来る。
【００１４】
一方、上記充填材として使用する材質としては、粒子、液体、ゲル体等のように、流動性が高くて袋部の変形の許容度合いが高いものが好ましい。これにより、基礎内側面や、基礎際への密着性がより向上する。さらに、請求項６の発明のように、上記防蟻部の充填材を多数の粒子とすれば、万が一袋部が破損した場合においても、一度に充填材が噴出して即座に防蟻体としての機能を失うといった事態を防ぐことができ、より好ましい。
【００１５】
上記防蟻部の袋部の形状は特に問わないが、請求項４のように一方向に延びる形状とするのが、より好ましい。この構成によれば、上記防蟻部をその袋部が延びる方向と基礎内側面とが略平行になるように設置することにより、簡単な作業で基礎内側面に対して長い領域にわたって防蟻部を連続的に密着させることが出来る。
【００１６】
【発明の実施の形態】
まず、本発明の参考例について、図１及び図２を用いて説明する。
【００１７】
参考例（図１及び図２参照）
図１（ａ）は、本参考例の防蟻体の外観図、図１（ｂ）はそのＡ−Ａ’断面図を示すものである。
【００１８】
図１（ａ）に示すとおり、この参考例にかかる防蟻体１１は、略半円上の断面を有して一方向に延びた形状、すなわち略半円柱状になっている。この防蟻体１１は、図１１（ｂ）に示すとおり、袋部１２と充填材１３により構成され、袋部１２の内部に充填材１３が充填されている。
【００１９】
袋部１２の素材は、主にポリエチレン、ＥＶＡ（エチレン−酢酸ビニル共重合体）、ＰＶＣ（ポリ塩化ビニル）、ナイロン等に代表されるように比較的柔軟性の高い素材である。また、袋部１２の素材内に防蟻剤を含浸させることにより、白蟻が袋部１２を食い破ることを防止したり、袋部１２に白蟻を寄せ付けないようにしたりする防蟻性能を袋部１２に付与している。
【００２０】
ここで、前記防蟻剤としては、フェニトロチオン、ホキシム（公知の有機リン系殺虫剤）、ピレスロイド様薬剤（シラフルオフェン、エトフィンプロックス等）、ピレストイド系薬剤（ビフェントリン、サイパーメストン、デルタメスリン、パーメスリン、ペルメスリン、アレスリン、トラロメスリン等）、カーバメント系薬剤（プロボクスル、フェノブカルブ、セビン等）、クロルニコチル系薬剤（イミダクロプリド、アセタプリド、フィブロニル等）等が好適であるが、上記のような防蟻性能を持つものであれば、他の防蟻剤を用いてもよい。
【００２１】
また、必ずしも防蟻剤を用いなくてもよく、白蟻に食い破られないような素材（例えばナイロン）で袋部１２を構成するだけでも、ある程度の防蟻性能を与えることが出来る。防蟻剤を省略する場合には、その含浸のための手間やコストを削減できる利点が得られる。
【００２２】
充填材１３は、砂などの粒体、粉体、液体、ゲル体、ペースト等のような粘性のある練体等、袋部１２内で流動可能な材料が使用される。また、充填材１３の質量は、防蟻体１１自体の重みが、２００ｇ／ｍ〜２ｋｇ／ｍとなるように設定されている。
【００２３】
次に、図２（ａ）〜図２（ｃ）で、防蟻体１１を用いて建築物の床下部分を防蟻する方法について説明する。
【００２４】
図２（ａ）は、床下部分の基礎構造を土間コンクリート仕様としたものである。この場合、建築物の基礎２１は、図示されていないが建築物の外周部分に沿って一周するように設置され、その内側の床下部分（本図では基礎２１より右側に該当）には、全面に土間コンクリート２２が構成されている。
【００２５】
続いて、図２（ｂ）〜図２（ｃ）を用いて上記の防蟻方法の工程について説明する。
【００２６】
工程１（図２（ｂ）参照）：基礎２１の内側面（図２（ｂ）では右側面）と土間コンクリート２２の上面とが交差する場所に、その交差部分に沿って防蟻体１２を設置し、その袋体１２を変形させて基礎２１の内側面及び土間コンクリート２２に接触させる。このとき、基礎２１が延びている方向と防蟻体１１の延びている方向、すなわち長さ方向とが略平行となるように設置すればよい。
【００２７】
工程２（図２（ｃ）参照）：基礎２１の内側面と、防蟻体１１と、土間コンクリート２２とをテープ３１で固定する。このテープ３１は、従来のように交差部分全域にわたって貼着する必要はなく、図示のとおり局所的に貼着すればよい。
【００２８】
上述の方法によると、防蟻体１１を基礎内側面に接するように設置するのみで、上記袋部１２が基礎内側面に密着するため、その密着部分より上部に白蟻が這い上がることを防止するように施工することが出来る。したがって、従来のように施工の際に、基礎の内側面とシートが接する部分をテープで全面的に固定する必要がなくなり、大幅な労力と手間を低減することができる。
【００２９】
さらには、防蟻体１１自体の重みが、その設置位置が容易にずれることを防止するため、長期間にわたる使用においても防蟻体１１は確実に基礎内側面に密着することができる。したがって、非常に効率の良く施工を行いつつ、長期間安定した防蟻効果を得ることが可能となる。
【００３０】
また、防蟻体１１の重量が十分に大きければ、テープの貼着も省略して作業をより簡略化することも可能である。
【００３１】
なお、充填材１３の質量は、必ずしも防蟻体１１自体の重みが２００ｇ／ｍ〜２ｋｇ／ｍになるように設定する必要はなく、任意の重さに設定することが可能である。もっとも、２００ｇ／ｍ以上の質量を有するほうが、防蟻体１１の設置位置が容易にずれることを防止する上では好ましく、さらには、２ｋｇ／ｍ以下の質量であるほうが、設置作業時の運搬時等における作業負担を軽減する上からは好ましい。したがって、充填材１３の質量は、防蟻体１１自体の重みが２００ｇ／ｍ〜２ｋｇ／ｍとなるように設定されていることがより好ましい。
【００３２】
また、充填材１３は、砂などの粒体、粉体、液体、ゲル体、ペースト等のような粘性のある練体等のように、袋部１２内で流動可能な材料が使用しているため、袋部１２内に充填材１３を充填しても、袋部１２を十分に変形させることが可能である。したがって、基礎内側面や、土間コンクリート２２の基礎際部分への密着性が向上する。なお、本参考例においては、主に白蟻は基礎内側面と土間コンクリートとの接触部分に生ずる間隙から床下部分へ侵入することになるが、袋部１２と基礎内側面及び土間コンクリート２２の基礎際部分との密着性が向上しているため、上記間隙から進入した白蟻は、上記密着部分から先へはほとんど進むことができず、より防蟻性能を向上させることが出来る。
【００３３】
特に、充填材１３が多数の粒子で構成させていれば、万が一袋部１２が破損した場合においても、一度に充填材１３が噴出して即座に防蟻体１１としての機能を失うといった事態を防ぐことができる利点が得られる。その場合、粒径は特に問わないが、例えば２ｍｍ以下とすれば、袋部１２内での高い流動性が得られる。
【００３４】
なお、充填材１３に上記の防蟻剤を塗布したり、混入したりする等、防蟻加工を行うことにより、防蟻性能を付与することも可能である。この場合、万が一袋部１２が破損した場合においても充填材１３で防蟻効果を得ることが可能なため、より安定して防蟻効果を保つ上では好ましい。さらに、ホウ酸亜鉛、ホウ酸銅、ボラックス、コレマナイト、ホウ砂、ナフテン酸銅、ナフテン酸亜鉛、等のような充填材１３自体が防蟻効果を持っているものを用いると、防蟻加工を施す手間が省け、より好ましい。
【００３５】
また、防蟻体１１は、略半円上の断面が一方向に延びた形状、すなわち略半円柱状になっているため、施工の際、基礎２１が延びている方向と防蟻体１１の延びている方向、すなわち長さ方向とが略平行となるように設置すれば、より長い領域で基礎内側面に密着することが出来るため、より広範囲を防蟻することが可能となる。
【００３６】
次に、本発明の実施形態について、図３及び図４を用いて説明する。ただし、本発明は以下の実施形態に限定されることはない。
【００３７】
実施形態（図３及び図４参照）
以下の実施形態において、上記参考例と同一部分には同一符号を付して示し、その重複説明を省略する。
【００３８】
図３は、本実施形態の防蟻体の外観を示す図である。
【００３９】
防蟻体１１１は、シート部１１５と、そのシート部１１５の対角をなす辺には、上記参考例で示した袋部１２が夫々備えられ、これらの部材は一体に成形させている。そして、袋部１２については、上記参考例で示したとおり、その内部に充填材１３が充填されている。この内部に充填材１３が充填された２つの袋部１２の内、一方が本発明の防蟻部として機能するものであり、もう一方が本発明の錘部として機能するものである。
【００４０】
シート部１１５は、主にポリエチレン、ＥＶＡ（エチレン−酢酸ビニル共重合体）、ＰＶＣ（ポリ塩化ビニル）、ナイロン等に代表されるような合成樹脂素材や、金属メッシュ等の素材が用いられてシート状に構成されている。また、シート部１１５にも防蟻性能を付与するため、上記参考例で挙げた防蟻剤を素材に含浸されている。なお、上記素材としてナイロン、金属メッシュ等を使用した場合においては、特に防蟻剤を含浸しなくても、白蟻がシート部１１５を食い破ることを防止することができるため、素材内に防蟻剤を特に含浸させる必要はない。
【００４１】
次に、図４（ａ）〜図４（ｃ）で、防蟻体１１１を用いて建築物の床下部分を防蟻する方法について説明する。
【００４２】
図４（ａ）は、床下部分の基礎構造を盛土仕様としたものである。この場合、建築物の基礎２１は、図示されていないが建築物の外周部分に沿って一周するように設置され、その内側に該当する床下部分は盛土部４１（地盤に相当）となっている。
【００４３】
続いて、図４（ｂ）〜図４（ｃ）を用いて、上記の防蟻方法の工程につき説明する。
【００４４】
工程１（図４（ｂ）参照）：基礎２１の内側面と盛土部４１の表面とが接する場所に、基礎２１の内側面及び盛土部４１に接するように防蟻部として機能する一方の袋部１２を設置する。この場合、基礎２１が延びている方向と袋部１２の延びている方向（長さ方向）とが略平行となるように設置する。また、シート部１１５を盛土部４１に略密着して敷設するように、錘部として機能する他方の袋部１２を前記の袋部１２（基礎２１の内側面に設置した袋部１２）から一定間隔を開けて盛土部４１に設置する。この場合、基礎内側面に袋部１２は略密着する。
【００４５】
工程２（図４（ｃ）参照）：基礎２１の内側面と、防蟻体１１とをテープ３１で固定する。
【００４６】
上述のような説明によると、シート部１１５によって、基礎内側面と盛土部４１との接触部分（基礎際に相当）だけでなく、基礎近傍の盛土部４１までをも防蟻することができ、より高い防蟻効果を得ることが可能となる。
【００４７】
さらに、基礎２１から離して設置した袋部１２は、一定の重量を備えているため、シート１１５を盛土部４１に略密着するよう固定することが可能である。すなわち、この袋部１２は錘部の役目をも兼ねることができる。
【００４８】
なお、袋部１２の一方を、袋部１２の代わりに金属板、金属棒等としてこの部分を錘部とし、袋部１２から一定間隔を空けて盛土部４１に設置するようにすることも可能である。但し、上記の錘部は基礎内側面に密着させることが出来ず、基礎２１に接する位置に設置することが出来ないため、袋部１２と錘部を兼ねる構成のほうが、設置方向を考慮する必要がなく、より施工効率を向上させるという点では好ましい。
【００４９】
なお、錘部１１４と袋部１２との間隔、すなわちシート部１１５の幅は、従来の防蟻方法として、基礎近傍部分の盛土部４１の約２０ｃｍの領域に防蟻剤を散布して防蟻を行っていた点から２０ｃｍ以上であることが好ましい。
【００５０】
その他実施形態
（１）  袋部１２及びシート部１１５及び錘部の形状は、必ずしも一方向に延びた形状でなくてもよい。たとえば、一方向に一定距離に延びた後、略直角に折り曲がってさらに延びるような形状（Ｌ字型等）にすることにより、基礎のコーナー部分を少ない手間で、かつ長期間防蟻効果を維持するように施工することが可能となる。
【００５１】
（２）  袋部１２の断面は、必ずしも半円状に限定されない。例えば、四角形、平行四辺形、台形、楕円形、その他多角形等任意の形状を採用することが可能である。
【００５２】
【発明の効果】
以上のように本発明は、基礎際に基礎内側面と袋部とが接するよう防蟻体を設置するのみで、上記袋部は上記基礎内側面に密着するため、その密着部分より上部に白蟻が這い上がることを防止するように施工することが出来る。したがって、施工の際の大幅な労力と手間を低減することができる。さらには、施工後においては、当該防蟻体自体の重みが上記防蟻体の設置位置が容易にずれることを防止し、長期間にわたる使用においても、上記防蟻体は確実に基礎内側面に密着することができる。よって、非常に効率の良く施工を行いつつ、長期間安定した防蟻効果を得ることが可能となる。
【００５３】
さらに本発明では、基礎際だけでなく、シート部により基礎近傍の床下部分までも防蟻することができ、より高い防蟻効果を得ることが可能となる。
【図面の簡単な説明】
【図１】  （ａ）は本発明の参考例にかかる防蟻体の斜視図であり、（ｂ）は、（ａ）のＡ−Ａ’断面図である。
【図２】  （ａ）は本発明の参考例にかかる床下部分の基礎構造を示したものである。
（ｂ）及び（ｃ）は本発明の参考例にかかる床下部分を防蟻する施工方法を示した工程図である。
【図３】  本発明の実施形態にかかる防蟻体の斜視図である。
【図４】  （ａ）は本発明の実施形態にかかる床下部分の基礎構造を示したものである。
（ｂ）及び（ｃ）は本発明の実施形態にかかる床下部分を防蟻する施工方法を示した工程図である。
【符号の説明】
１１、１１１  防蟻体
１２  袋部
１３  充填材
２１  基礎
１１５  シート部
【図１】
0003999015.tif 000002
【図２】
0003999015.tif 000003
【図３】
0003999015.tif 000004
【図４】
0003999015.tif 000005